(57)【要約】【課題】  硬貨の収納及び釣銭の出金を行う貨幣処理機において、レジのチェックアウト時間を増加させることなく、預かり金金額の入力ミスの抑制と不正の防止を図ることができ、また過不足発生時の原因探求が容易にできるようにする。【解決手段】  投入された貨幣を金種毎に振り分けて計数し、金種毎に設けられた収納庫もしくは混合金種の収納庫に収納し、ＰＯＳレジ（上位制御部）１からの出金指示に基づいて金種及び枚数を決定して収納庫から釣銭を出金する貨幣処理機において、出金指示金額と預かり金金額をＰＯＳレジ１から受け取る受取部３を備え、ＰＯＳレジ１から預かり金金額を受け取ると入金許可状態とし、投入された貨幣をＰＯＳレジ１から受け取った預かり金金額と照合する。【選択図】  図１
2007066185.tif 000002
【特許請求の範囲】
【請求項１】
投入された貨幣を金種毎に振り分けて計数し、前記金種毎に設けられた収納庫もしくは混合金種の収納庫に収納し、上位制御部からの出金指示に基づいて金種及び枚数を決定して前記収納庫から釣銭を出金する貨幣処理機において、
出金指示金額と預かり金金額を前記上位制御部から受け取る受取部を備え、
前記上位制御部から前記預かり金金額を受け取ると入金許可状態とし、投入部に投入された貨幣を前記上位制御部から受け取った預かり金金額と照合することを特徴とする貨幣処理機。
【請求項２】
前記預かり金金額を表示する表示部を有し、
前記表示部は、前記預かり金金額の表示から前記貨幣の入金計数毎に減算表示することを特徴とする請求項１記載の貨幣処理機。
【請求項３】
投入された貨幣を一時保留する保留庫を有し、
前記照合の結果一致しない場合はその旨を前記表示部に表示してキャンセル動作を選択可能にすることを特徴とする請求項２記載の貨幣処理機。
【請求項４】
投入された貨幣を一時保留する保留庫を有し、
前記照合の結果一致しない場合は自動的にキャンセル動作をすることを特徴とする請求項２記載の貨幣処理機。
【請求項５】
投入された貨幣を一時保留する保留庫を有し、
前記照合の結果一致した場合は自動的に前記貨幣の収納動作をすることを特徴とする請求項２記載の貨幣処理機。
【請求項６】
前記預かり金金額を前記上位制御部から受け取ったタイミングで入金許可状態とするとともに、前記出金指示金額を受け取ったタイミングで入金禁止状態とすることを特徴とする請求項２記載の貨幣処理機。
【請求項７】
前記照合の結果を格納するメモリを有していることを特徴とする請求項２記載の貨幣処理機。
【請求項８】
前記照合の結果一致しない場合にその照合結果を格納するメモリを有していることを特徴とする請求項２記載の貨幣処理機。
【請求項９】
前記上位制御部から受け取った預かり金金額は、その金種構成をも含むものであり、入金時には、その金種構成から外れる金種は返却することを特徴とする請求項２記載の貨幣処理機。
【発明の詳細な説明】
【技術分野】
【０００１】
本発明は、投入された貨幣を収納庫に収納するとともに、出金指示により収納庫から釣銭を出金する貨幣処理機に関する。
【背景技術】
【０００２】
スーパーマーケット等のＰＯＳ（Point Of Sales）レジには、預かり金の入金及び釣銭の出金を行うための貨幣処理機が接続されている。このような貨幣処理機として、従来、投入された紙幣を収納するとともに、その紙幣の真偽を判別して金種毎の在高を計数する紙幣処理機が提案されている（例えば特許文献１参照）。また、余分な釣銭の準備金を必要とすることなく、担当者の負担を軽減した硬貨処理装置も提案されている（例えば特許文献２参照）。
【０００３】
ここで、上記のような貨幣処理機には、主に釣銭先行動作と入金先行動作の運用動作がある。釣銭先行の貨幣処理機では、上位制御部から出金指示（釣銭金額指示）を受けると、金種及び枚数を決定して釣銭を出金する。上位制御部からの出金指示金額は、レジの担当者がレジに打刻した金額であり、客からの預かり金金額から買い上げ金額を差し引いた金額である。入金先行の貨幣処理機では、客から預かった貨幣を貨幣処理機内で機械計数を行い、買い上げ金額との差額を釣銭として出金指示する。
【特許文献１】特開平１１−３０６４１６号公報
【特許文献２】特開平１０−３３４３１３号公報
【発明の開示】
【発明が解決しようとする課題】
【０００４】
ところで、上記のような貨幣処理機では、万が一、レジの担当者が間違った打刻を行った場合、釣銭額は正確でなくなってしまうとともに、打刻金額から釣銭が計算されるので、不正が行われる可能性があるという問題があった。更に、客から預かった貨幣は貨幣処理機内に入金されるが、この入金は非同期的に行われるので、上記レジの担当者がレジに打刻した金額との照合ができず、過不足発生時の原因探索が難しいという問題があった。
【０００５】
また、入金先行の場合はレジの担当者による預かり金金額の打刻ミスを回避することができるが、この場合機械計数であるので、人間の暗算に比べると処理時間が掛かり、釣銭先行の場合と比較してレジのチェックアウト時間が長くなってしまう。
【０００６】
本発明は、このような点に鑑みてなされたものであり、レジのチェックアウト時間を増加させることなく、預かり金金額の入力ミスの抑制と不正の防止を図ることができ、また過不足発生時の原因探求が容易な貨幣処理機を提供することを目的とする。
【課題を解決するための手段】
【０００７】
本発明では上記課題を解決するために、投入された貨幣を金種毎に振り分けて計数し、前記金種毎に設けられた収納庫もしくは混合金種の収納庫に収納し、上位制御部からの出金指示に基づいて金種及び枚数を決定して前記収納庫から釣銭を出金する貨幣処理機において、出金指示金額と預かり金金額を前記上位制御部から受け取る受取部を備え、前記上位制御部から前記預かり金金額を受け取ると入金許可状態とし、投入部に投入された貨幣を前記上位制御部から受け取った預かり金金額と照合することを特徴とする貨幣処理機が提供される。
【０００８】
このような貨幣処理機によれば、レジのチェックアウト時間を増加させることなく、預かり金金額の入力ミスの抑制と不正の防止を図ることができ、また過不足発生時の原因探求が容易となる。
【発明の効果】
【０００９】
本発明の貨幣処理機は、上位制御部から預かり金金額を受け取ると入金許可状態とし、投入部に投入された貨幣を上位制御部から受け取った預かり金金額と照合するため、レジのチェックアウト時間を増加させることなく、預かり金金額の入力ミスの抑制と不正の防止を図ることができ、また過不足発生時の原因探求が容易になるという利点がある。
【発明を実施するための最良の形態】
【００１０】
以下、本発明の実施の形態を図面を参照して説明する。
図１は本発明の実施の形態の貨幣処理機の外観を示す図である。同図の（ａ）は上面図、（ｂ）は正面図である。ＰＯＳレジ（上位制御部）１と、貨幣処理機の筐体２の受取部３が接続されている。この貨幣処理機は、紙幣部２ａと硬貨部２ｂから構成され、紙幣部２ａには紙幣投入口４及び紙幣出金口５が設けられ、硬貨部２ｂには硬貨投入口６、操作表示部７、硬貨出金口８及びキャンセル口９が設けられている。
【００１１】
本実施の形態の貨幣処理機は、紙幣投入口４及び硬貨投入口６から投入された貨幣を金種毎に振り分けて計数し、図示しない金種毎に設けられた収納庫もしくは混合金種の収納庫に収納し、ＰＯＳレジ１からの出金指示に基づいて金種及び枚数を決定して上記収納庫から釣銭を出金する入出金機であり、受取部３は上記出金指示金額と預かり金金額を上位制御部から受け取り、預かり金金額を受け取ると入金許可状態とし、紙幣投入口４及び硬貨投入口６に投入された貨幣を上位制御部から受け取った預かり金金額と照合する。また、操作表示部７は、上記預かり金金額を表示し、預かり金金額の表示から貨幣の入金計数毎に減算表示する。その際、表示金額は“−”（マイナス）表示される。
【００１２】
また、上記の貨幣処理機は、図示していないが投入された貨幣を一時保留する保留庫を有しており、上記の照合の結果一致しない場合はその旨を操作表示部７に表示してキャンセル動作を選択可能にするか、あるいは自動的にキャンセル動作をし、一致した場合は自動的に貨幣の収納動作をする。
【００１３】
また、預かり金金額をＰＯＳレジ１から受け取ったタイミングで入金許可状態とするとともに、出金指示金額を受け取ったタイミングで入金禁止状態とする。
更に、上記の照合の結果を格納するメモリを有しているが、このメモリには照合の結果一致しない場合にのみその照合結果を格納するようにしても良い。
【００１４】
また、ＰＯＳレジ１から受け取った預かり金金額は、その金種構成をも含むものであり、入金時には、その金種構成から外れる金種は返却（リジェクト）することもできる。
図２は貨幣処理機の動作を示す図であり、ここでは前述の釣銭先行動作及び入金先行動作と本実施の形態の入金照合動作を比較して示している。
【００１５】
まず、釣銭先行の貨幣処理機の動作は次のようになる。
（１）お客様の買い上げ品の商品スキャン（登録）が終了すると（約２０秒）、ＰＯＳレジは合計額を計算し、合計キーが押下されると、その金額をＰＯＳレジの表示部に表示する。そして、通常はレジの担当者がその金額を読み上げ、お客様は買い上げ額以上の貨幣を預かり金としてレジの担当者に渡す。このお客様の支払い待ちは約５秒程度である。
【００１６】
（２）ＰＯＳレジの担当者は、預かり金金額を読み上げるとともに、ＰＯＳレジにその金額を打刻する（約２秒）。
（３）ＰＯＳレジは、「釣銭金額」＝「預かり金金額（打刻額）−買い上げ額」を計算し、貨幣処理機に通知する。
【００１７】
（４）貨幣処理機は、受け取った金額に従い、各貨幣の金種及び枚数を計算し、釣銭を出金する（約３秒）。
（５）ＰＯＳレジの担当者は、レシート及び貨幣処理機から出金された釣銭をお客様に渡す（約３秒）。
【００１８】
（６）お客様が納得し、ＰＯＳレジを離れたら、預かった貨幣を貨幣処理機に投入して入金する。このときの入金計数は約８秒である。そして、次の商品スキャンへ続く。
以上の釣銭先行動作の運用では、釣銭の出金の自動化によりチェックアウト時間の短縮化が図られている。また、預かり貨幣の自動収納は次のお客様の買い上げ商品のスキャン中に行われるので、チェックアウト時間は更に短縮が可能である。
【００１９】
これに対して、預かり金登録を機械化する入金先行の貨幣処理機の動作は次のようになる。
（１）お客様の買い上げ品の商品スキャン（登録）が終了すると（約２０秒）、ＰＯＳレジは合計額を計算し、合計キーが押下されると、その金額をＰＯＳレジの表示部に表示する。そして、通常はレジの担当者がその金額を読み上げ、お客様は買い上げ額以上の貨幣を預かり金としてレジの担当者に渡す。このお客様の支払い待ちは約５秒程度である。
【００２０】
（２）ＰＯＳレジの担当者は、預かり金金額を読み上げるとともに（または金額は読み上げなくても良い）、貨幣処理機に預かり貨幣を投入して入金する。貨幣処理機は、入金額を計算し、動作終了後、ＰＯＳレジに入金合計金額を通知する。ＰＯＳレジの担当者は、お客様に貨幣処理機で計数した入金金額を読み上げ、納得して頂く。このときの入金計数は約８秒である。
【００２１】
（３）ＰＯＳレジは、「釣銭金額」＝「預かり金金額（貨幣処理機より通知された金額）−買い上げ額」を計算し、貨幣処理機に通知する。
（４）貨幣処理機は、受け取った金額に従い、各貨幣の金種及び枚数を計算し、釣銭を出金する（約３秒）。
【００２２】
（５）ＰＯＳレジの担当者は、レシート及び貨幣処理機から出金された釣銭をお客様に渡す（約３秒）。そして、次の商品スキャンへ続く。
以上の入金先行動作の運用では、機械計数時間が釣銭先行動作と比較して長いので、チェックアウト時間が増加してしまう。また、預かり金入金動作がなくなっているが、もともとこのタイミングでは釣銭先行動作時でも次のお客様の買い上げ商品のスキャンが並列して行われるので、時間短縮にはならない。
【００２３】
このような運用動作に対して、本実施の形態の入金照合を行う貨幣処理機の動作は次のようになる。
（１）お客様の買い上げ品の商品スキャン（登録）が終了すると（約２０秒）、ＰＯＳレジは合計額を計算し、合計キーが押下されると、その金額をＰＯＳレジの表示部に表示する。そして、通常はレジの担当者がその金額を読み上げ、お客様は買い上げ額以上の貨幣を預かり金としてレジの担当者に渡す。このお客様の支払い待ちは約５秒程度である。
【００２４】
（２）ＰＯＳレジの担当者は、預かり金金額を読み上げるとともに、ＰＯＳレジにその金額を打刻する（約２秒）。
（３）ＰＯＳレジは、「釣銭金額」＝「預かり金金額（打刻額）−買い上げ額」を計算し、貨幣処理機に通知する。このとき、ＰＯＳレジは同時に預かり金金額も貨幣処理機に通知するが、この通知は次の（４）の出金完了通知後でも良い。
【００２５】
（４）貨幣処理機は、受け取った金額に従い、各貨幣の金種及び枚数を計算し、釣銭を出金する（約３秒）。その際、貨幣処理機は、ＰＯＳレジから預かり金金額を受け取っていると入金許可状態となり、同時に操作表示部７にその預かり金金額を表示する。
【００２６】
（５）ＰＯＳレジの担当者は、レシート及び貨幣処理機から出金された釣銭をお客様に渡す（約３秒）。
（６）お客様が納得し、ＰＯＳレジを離れたら、預かった貨幣を貨幣処理機に投入して入金する。このとき、貨幣処理機は、入金計数する毎に上記操作表示部７で表示している預かり金金額を減算して行き、入金照合を行う。その際の入金照合（入金計数）は約８秒である。そして、次の商品スキャンへ続く。
【００２７】
図３は上記操作表示部７の入金照合時の表示例を示す図である。同図の（ａ）は釣銭出金後の表示、（ｂ）は預かり金金額受信（受取）後の一致した場合の表示、（ｃ）はそのマイナス表示、（ｄ）は預かり金金額受信（受取）後の不一致（入金少ない）の場合の表示、（ｅ）はそのマイナス表示をそれぞれ示している。
【００２８】
貨幣処理機の紙幣投入口４及び硬貨投入口６に貨幣がなくなった時点で、ＰＯＳレジ１から受け取った預かり金金額が入金計数金額と等しければ、自動的に収納動作を行い、異なっていれば、操作表示部７に「キャンセル／収納」の選択表示を行う。そして、「収納」が選択指示された場合は収納動作を行い、「キャンセル」が選択指示された場合は現物を入金キャンセルする。図４はキャンセル指示待ち時の表示例を示す図である。
【００２９】
上述の一連の照合内容は、貨幣処理機のメモリに逐次格納され、事後に読み出し可能となっている。図５はメモリに格納されたログ内容を示す図である。ここでは、入金、出金の日時、金額、及びその金種の内訳が詳細に記録されている。したがって、万が一、「預かり金金額≠入金計数額」が発生したときには、再精算あるいは過不足金の原因探索が容易に可能である。また、釣銭先行動作時と同等のチェックアウト時間を達成可能である。
【００３０】
このように、本実施の形態では、ＰＯＳレジ１のチェックアウト時間を増加させることなく、預かり金金額の入力ミスの抑制と不正の防止を図ることができ、また過不足発生時の原因探求が容易となる。
【００３１】
また、ＰＯＳレジ１への打刻金額から入金額を減算した金額を表示するようにしているので、入力間違いをした場合、入金金額の差額から打刻ミスが分かり、精算の修正が可能である。更に、一時保留庫を備えた構成では、現物返却を行うこともできる。また、照合結果はログとしてメモリに格納することで、過不足発生時の原因特定が極めて容易となり、内部での不正の抑止効果も期待できる。
【００３２】
また、ＰＯＳレジ１から受け取った預かり金金額は、その金種構成をも含むものであり、入金時には、その金種構成から外れる金種は返却（リジェクト）することもできる。この場合、「一万円キー」が設けられたＰＯＳレジ１から例えば１２５００円のデータを受け取ったときに五千円紙幣が入金されたような場合にリジェクトさせることができる。これにより、五千円を受け取ったのに一万円と勘違いしたことをリジェクトにより気付きやすくなる。
【００３３】
次に、貨幣処理機の制御動作（貨幣の流れ）について、硬貨部２ｂに構成された硬貨処理機を例にとって説明する。図６は硬貨部２ｂの構成を示すブロック図である。また、図７は硬貨部２ｂの入金キャンセル動作の流れを示す図である。
【００３４】
この硬貨処理機には、図１の硬貨投入口６である投入部１１、投入された硬貨を識別する検銭部１２、リジェクトゲート１３、投入された硬貨を一時保留する一時保留庫１４、キャンセルゲート１５、硬貨を金種毎に振り分ける振分部１６、金種毎に設けられた硬貨の収納庫部１７、収納庫部１７の硬貨を出金させるための出金搬送部１８、出金切換えゲート１９、硬貨出金口８である出金トレイ２０、リジェクト切換えゲート２１、及び真偽の分からない硬貨を収納する不明庫２３が設けられている。また、キャンセル口９に相当するキャンセル口も設けられ、収納庫部１７は、５００円収納庫１７ａ、１０円収納庫１７ｂ、１００円収納庫１７ｃ、５円収納庫１７ｄ、５０円収納庫１７ｅ、１円収納庫１７ｆに分かれている。
【００３５】
（入金収納）
投入部１１に投入（Ｓ１１）された硬貨は、検銭部１２で金種が特定され（Ｓ１２）、このとき正しいと判定された硬貨はリジェクトゲート１３の作用（Ｓ１３）により一時保留庫１４へ搬送されて収納される（Ｓ１４）。正しくないと判定された硬貨の場合は、リジェクトゲート１３にて排除され、リジェクト切換えゲート２１の作用（Ｓ２１）により出金トレイ２０に返却されるか（Ｓ２０）、リジェクト切換えゲート２１により不明庫２３に格納される（Ｓ２３）。
【００３６】
上記一時保留庫１４に保留された硬貨は、上位からの指示もしくは操作表示部７での操作指示に従って、一時保留庫１４の搬送ベルトによりキャンセルゲート１５を経て（Ｓ１５）、振分部１６に搬送される（Ｓ１６）。振分部１６は、硬貨の直径に基づき、小径から大径の硬貨に対応した切欠きが順次設けられており、搬送された硬貨は小径順に落下して計数される。この振分部１６で振り分け、計数された硬貨は、収納庫部１７に金種別に収納される（Ｓ１７）。
【００３７】
（入金キャンセル）
また、上記一時保留庫１４に保留された硬貨は、上位からの指示もしくは操作表示部７での操作指示に従って、キャンセルゲート１５によりキャンセル口に返却され、入金キャンセルされる（Ｓ２２）。
【００３８】
なお、入金一時保留機能を使わない運用の場合には、一時保留庫１４を投入部１１及び検銭部１２に連動させて駆動し、常に振分部１６に搬送しても良い。
（出金）
上位制御部から出金の指示が行われると、収納庫部１７から出金の指示に従った金種及び枚数の繰り出しを開始する。収納庫部１７には計数センサが設けられており、各硬貨が繰り出される毎に計数が行われ、出金搬送部１８により硬貨が搬送され（Ｓ１８）、出金切換えゲート１９が出金トレイ２０側に切換えられて（Ｓ１９）、出金トレイ２０に出金される（Ｓ２０）。
【００３９】
なお、以上の例では、検銭部１２、リジェクトゲート１３、リジェクト切換えゲート２１、不明庫２３及びキャンセル口を備えた場合について説明したが、これらを備えなくても本発明を適用することができる。
【図面の簡単な説明】
【００４０】
【図１】本発明の実施の形態の貨幣処理機の外観を示す図である。
【図２】貨幣処理機の動作を示す図である。
【図３】操作表示部の入金照合時の表示例を示す図である。
【図４】キャンセル指示待ち時の表示例を示す図である。
【図５】メモリに格納されたログ内容を示す図である。
【図６】硬貨部の構成を示すブロック図である。
【図７】硬貨部の入金キャンセル動作の流れを示す図である。
【符号の説明】
【００４１】
１  ＰＯＳレジ
２  筐体
２ａ  紙幣部
２ｂ  硬貨部
３  受取部
４  紙幣投入口
５  紙幣出金口
６  硬貨投入口
７  操作表示部
８  硬貨出金口
９  キャンセル口
１１  投入部
１２  検銭部
１３  リジェクトゲート
１４  一時保留庫
１５  キャンセルゲート
１６  振分部
１７  収納庫部
１８  出金搬送部
１９  出金切換えゲート
２０  出金トレイ
２１  リジェクト切換えゲート
２３  不明庫
【図１】
2007066185.tif 000003
【図２】
2007066185.tif 000004
【図３】
2007066185.tif 000005
【図４】
2007066185.tif 000006
【図５】
2007066185.tif 000007
【図６】
2007066185.tif 000008
【図７】
2007066185.tif 000009